(57)【要約】【課題】  本発明は、外部電源の電力供給能力が想定よりも低い場合であっても、外部電源から内部電池への充電を禁止できるようにする。【解決手段】  電子機器は、外部電源が接続される接続手段と、外部電源から内部電池への充電を可能にする充電制御手段と、外部電源から内部電池への充電を禁止する充電禁止手段と、内部電池が一次電池および二次電池のいずれであるかを判定する電池種別判定手段とを有し、電池種別判定手段は、内部電池から供給される電力で動作する。【選択図】  図１
2019088167.tif 000002
【特許請求の範囲】
【請求項１】
外部電源が接続される接続手段と、
前記外部電源から内部電池への充電を可能にする充電制御手段と、
前記外部電源から前記内部電池への充電を禁止する充電禁止手段と、
前記内部電池が一次電池および二次電池のいずれであるかを判定する電池種別判定手段と
を有し、
前記電池種別判定手段は、前記内部電池から供給される電力で動作することを特徴とする電子機器。
【請求項２】
前記充電禁止手段は、前記電池種別判定手段の判定結果により前記内部電池が一次電池であると判定された場合に、前記外部電源から前記内部電池への充電を禁止することを特徴とする請求項１に記載の電子機器。
【請求項３】
前記充電制御手段は、前記電池種別判定手段の判定結果により前記内部電池が二次電池であると判定された場合に、前記外部電源から前記内部電池への充電を可能にすることを特徴とする請求項１または２に記載の電子機器。
【発明の詳細な説明】
【技術分野】
【０００１】
本発明は、電池の充電が可能な電子機器に関するものである。
【背景技術】
【０００２】
ＵＳＢ（Ｕｎｉｖｅｒｓａｌ  Ｓｅｒｉａｌ  Ｂｕｓ）は、データラインの他にＶＢＵＳラインを有し、このＶＢＵＳラインを介して、ホスト側からデバイス側に給電することができる。特許文献１には、内部電池と並列に外部電池を有し、外部電池が二次電池でない場合は、外部電池の充電を禁止する方法が記載されている。特許文献２には、ユーザ自身が、ＵＳＢからの電力で二次電池を充電するか否かを選択する方法が記載されている。
【先行技術文献】
【特許文献】
【０００３】
【特許文献１】特開平７−２０１３６９号公報
【特許文献２】特開２０１６−７７０６５号公報
【発明の概要】
【発明が解決しようとする課題】
【０００４】
一次電池と二次電池の両方が選択的に使用可能な電子機器において、ＵＳＢ端子等を介して外部電源から電力供給を受けたマイコンで充電制御を行う場合、外部電源の電力供給能力が想定よりも低い場合には、負荷変動による電圧降下によってマイコンが誤動作してしまうこと想定される。誤動作のタイミングによっては、外部電源から一次電池への充電が禁止されない可能性がある。
【０００５】
そこで、本発明は、外部電源の電力供給能力が想定よりも低い場合であっても、外部電源から内部電池への充電を禁止できるようにすることを目的とする。
【課題を解決するための手段】
【０００６】
本発明に係る電子機器は、外部電源が接続される接続手段と、前記外部電源から内部電池への充電を可能にする充電制御手段と、前記外部電源から前記内部電池への充電を禁止する充電禁止手段と、前記内部電池が一次電池および二次電池のいずれであるかを判定する電池種別判定手段とを有し、前記電池種別判定手段は、前記内部電池から供給される電力で動作する。
【発明の効果】
【０００７】
本発明によれば、外部電源の電力供給能力が想定よりも低い場合であっても、外部電源から内部電池への充電を禁止することができる。
【図面の簡単な説明】
【０００８】
【図１】撮像装置１００に接続可能なバッテリーグリップ１０１の構成要素を説明するためのブロック図である。
【図２】充電禁止動作の一例を説明するためのフローチャートである。
【図３】充電禁止解除動作の一例を説明するためのフローチャートである。
【発明を実施するための形態】
【０００９】
以下、図面を参照して本発明の実施形態を説明する。ただし、本発明は以下の実施形態に限定されるものではない。
【００１０】
［実施形態１］
まず、図１を参照して、撮像装置１００に接続可能なバッテリーグリップ１０１の構成要素を説明する。
【００１１】
バッテリーグリップ１０１は、一次電池ホルダ１０２または二次電池パック１０３が接続されるアクセサリ装置である。一次電池ホルダ１０２または二次電池パック１０３は、バッテリーグリップ１０１に設けられた電池室に接続される。バッテリーグリップ１０１は、ＵＳＢ（Ｕｎｉｖｅｒｓａｌ  Ｓｅｒｉａｌ  Ｂｕｓ）を介して接続された外部電源からの電力により二次電池パック１０３の二次電池を充電することができる。
【００１２】
一次電池ホルダ１０２は、複数の一次電池（例：単三電池）が接続される電池ホルダを有する。二次電池パック１０３は、充電可能な二次電池（例：リチウムイオン電池）を有する。一次電池ホルダ１０２に接続される一次電池は、充電が禁止されるべき電池である。
【００１３】
電池種別判定回路１０４は、一次電池ホルダ１０２および二次電池パック１０３のいずれがバッテリーグリップ１０１に接続されているかを判定し、その判定結果により内部電池が一次電池か二次電池かを判定する。一次電池ホルダ１０２がバッテリーグリップ１０１に接続されている場合、電池種別判定回路１０４は、内部電池が一次電池であると判定する。二次電池パック１０３がバッテリーグリップ１０１に接続されている場合、電池種別判定回路１０４は、内部電池が二次電池であると判定する。
【００１４】
充電禁止手段１０５は、電池種別判定回路１０４から内部電池が一次電池か二次電池の判定を受け取る。充電禁止手段１０５が、内部電池が一次電池であるとの判定を受け取った場合には、出力を“Ｌ”とし、充電ＯＮ／ＯＦＦ回路１０６をＯＦＦし、一次電池の充電を禁止する。電池判別判定回路１０４は、充電制御回路１１０へ、内部電池が一次電池であることを送信することにより、充電禁止回路１０５の出力と同じ“Ｌ”を出力する。
【００１５】
電池種別判定回路１０４、充電禁止回路１０５および充電制御回路１１０へは、内部電池から電力が供給される構成となっている。仮に外部電源であるＵＳＢ電源の電力供給能力が想定よりも低い場合であっても、内部電池からの給電のため、充電ＯＮ／ＯＦＦ回路１０６はＯＦＦのままであり、一次電池の充電が行われることはない。
【００１６】
充電禁止解除動作を行う場合、充電禁止手段１０５は、電池種別判定回路１０４から、内部電池が二次電池であるとの判定を受け取った場合には、出力を“ＨｉＺ”（ハイインピーダンス）とする。この状態では、まだ二次電池の充電は行われない。
【００１７】
ＵＳＢケーブル１０７を介してＵＳＢ電源（外部電源）がバッテリーグリップ１０１に接続されると、ＤＣ／ＤＣコンバータ１０８を介して、バッテリーグリップマイコン１０９へＵＳＢ電源からの電力が供給され、バッテリーグリップマイコン１０９が起動する。
【００１８】
電池種別判定回路１０４から、内部電池が二次電池であることを充電制御回路１１０に送信すると共に、バッテリーグリップマイコン１０９へも送信する。バッテリーグリップマイコン１０９は、内部電池が二次電池であることを認識し、充電制御回路１１０へ送信を行う。ここで、充電制御回路１１０は、電池種別判定回路１０４からの内部電池が二次電池であるとの情報と、バッテリーグリップマイコン１０９からの充電指示により、充電ＯＮ／ＯＦＦ回路１０６をＯＮさせる。以上により、充電回路１１１は、ＵＳＢ電源から二次電池への充電を開始することができる。
【００１９】
また、撮像装置１００とバッテリーグリップ１０１との間では、接続端子１１２を介して、データ通信および電力供給が行われる。撮像装置１００は、撮像装置マイコン１１４、ＤＣ／ＤＣコンバータ１１５などを有する。外部電源と接続されるＵＳＢケーブル１１３は、撮像装置１００側に挿されていても上述の通りの動作を行うものである。
【００２０】
次に、図２のフローチャートを参照して、充電禁止動作の一例を説明する。
【００２１】
まず、ユーザが一次電池ホルダ１０２に複数の一次電池を装填する（ステップＳ２０１）。次に、ユーザが一次電池ホルダ１０２をバッテリーグリップ１０１に接続する（ステップＳ２０２）。一次電池ホルダ１０２の一次電池から、電池種別判定回路１０４および充電禁止回路１０５への電力供給（ステップＳ２０３）がされ、各回路は動作状態となる。
【００２２】
次に、電池種別判定回路１０４は、一次電池ホルダ１０２および二次電池パック１０３のいずれがバッテリーグリップ１０１に接続されているかを判定する（ステップＳ２０４）。電池種別判定回路１０４は、ステップＳ２０４の判定結果により、内部電池が一次電池であるか否かを判定する（ステップＳ２０５）。内部電池が一次電池であると判定された場合、充電禁止回路１０５の出力は“Ｌ”となる（ステップＳ２０６）。充電ＯＮ／ＯＦＦ回路１０６の入力が“Ｌ”となりこの回路路はＯＦＦのままとなり（ステップＳ２０７）、ＵＳＢケーブルからの電流は流れないので、ＵＳＢ充電は禁止となる（ステップＳ２０８）。
【００２３】
内部電池が一次電池でないと判定された場合、充電禁止回路１０５の出力は“ＨｉＺ”（ハイインピーダンス）となり、充電制御回路１１０からの信号待ちとなる（ステップＳ２０９）。そして、ＵＳＢ電源からの電力による二次電池の充電が可能な状態となる（ステップＳ２１０）。
【００２４】
次に、図３のフローチャートを参照して、充電禁止解除動作の一例を説明する。
【００２５】
まず、ユーザが二次電池パック１０３をバッテリーグリップ１０１に接続する（ステップＳ３０１）。二次電池パック１０３が接続されると、電池種別判定回路１０４および充電禁止回路１０５への電力供給が行われる（ステップＳ３０２）。
【００２６】
次に、ユーザがＵＳＢケーブル１０７を介して外部電源をバッテリーグリップ１０１に接続する（ステップＳ３０３）。外部電源からバッテリーグリップマイコン１０９へ給電が行われることによりバッテリーグリップマイコン１０９が起動する（ステップＳ３０４）。電池種別判定回路１０４により、内部電池が二次電池であるか否かを判定する（ステップＳ３０５）。
【００２７】
内部電池が二次電池であると判定された場合、充電禁止回路１０５の出力を“ＨｉＺ”（ハイインピーダンス）とする（ステップＳ３０６）。
【００２８】
電池種別判定回路１０４は、内部電池が二次電池であることをバッテリーグリップマイコン１０９へ送信すると共に、充電制御回路１１０へも送信を行う。充電制御回路１１０は、電池種別判定回路１０４は、二次電池判別情報と、バッテリーグリップマイコン１０９からの充電指示により、“Ｈ”信号を出力する（ステップＳ３０７）。充電制御回路１１０からの“Ｈ”信号に伴い、充電ＯＮ／ＯＦＦ回路１０６はＯＮする（ステップＳ３０８）。
【００２９】
充電ＯＮ／ＯＦＦ回路１０６もＯＮすることにより、充電回路１１１は、外部電源から二次電池への充電を開始する（ステップＳ３０９）。充電が開始され、二次電池の電圧が閾値以上になると、二次電池の充電を終了する（ステップＳ３１０）。
【００３０】
ステップＳ３０５において、内部電池が二次電池でないと判定された場合には、充電禁止回路１０５の出力を“Ｌ”とし（ステップＳ３１１）、充電ＯＮ／ＯＦＦ回路１０６をＯＦＦする（ステップＳ３１１）。充電ＯＮ／ＯＦＦ回路１０６をＯＦＦすることにより、一次電池ホルダ１０２の一次電池の充電は禁止される（ステップＳ３１３）。
【００３１】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどを「コンピュータＸ」と呼ぶ。
【００３２】
また、実施形態２では、コンピュータＸを制御するためのプログラムであって、実施形態１で説明した様々な機能、処理または方法を実現するためのプログラムを「プログラムＹ」と呼ぶ。
【００３３】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【００３４】
なお、本発明の実施形態は上述の実施形態１または２に限定されるものではない。発明の要旨を逸脱しない範囲で変更または修正された実施形態１または２も本発明の実施形態に含まれる。
【符号の説明】
【００３５】
１００  撮像装置
１０１  バッテリーグリップ
１０２  一次電池ホルダ
１０３  二次電池パック
１０４  電池種別判定回路
１０５  充電禁止回路
１０６  充電ＯＮ／ＯＦＦ回路
１０７  ＵＳＢケーブル（バッテリーグリップ側）
１０８  ＤＣ／ＤＣコンバータ
１０９  バッテリーグリップマイコン
１１０  充電制御回路
１１１  接続端子
１１２  接続端子
１１３  ＵＳＢケーブル（撮像装置側）
１１４  撮像装置マイコン
１１５  ＤＣ／ＤＣコンバータ
【図１】
2019088167.tif 000003
【図２】
2019088167.tif 000004
【図３】
2019088167.tif 000005